(57)【要約】【課題】小型で、かつ十分な濾過面積を確保することが可能なオイルストレーナを提供する。【解決手段】本発明のオイルストレーナ１００は、オイルの吸入部１２２と流出部１１２とを備えるオイル収容部と、オイル収容部内の空間を吸入部側と流出部側とに区分するように設けられ、オイル収容部内を通過するオイルを濾過する濾材であるフィルタ１３０と、オイル収容部内の、濾材より吸入部１２２側の入側空間に設けられ、入側空間を移動可能なマグネット１４０と、を備える。【選択図】図２
2015190578.tif 000002
【特許請求の範囲】
【請求項１】
オイルの吸入部と流出部とを備えるオイル収容部と、
前記オイル収容部内の空間を吸入部側と流出部側とに区分するように設けられ、前記オイル収容部内を通過するオイルを濾過する濾材と、
前記オイル収容部内の、前記濾材より前記吸入部側の入側空間に設けられ、前記入側空間を移動可能なマグネットと、
を備える、オイルストレーナ。
【請求項２】
前記オイル収容部の吸入部の周縁部分には、前記濾材側に向かって突出するリブが設けられ、
前記濾材と前記リブとの間の距離は、前記マグネットの厚みより小さい、請求項１に記載のオイルストレーナ。
【請求項３】
前記マグネットの外形は、角丸に形成されている、請求項１または２に記載のオイルストレーナ。
【請求項４】
前記マグネットは、前記濾材と対向する面に凹部が形成されている、請求項１〜３のいずれか１項に記載のオイルストレーナ。
【請求項５】
前記マグネットは、前記濾材と対向する面にフランジが形成されている、請求項１〜４のいずれか１項に記載のオイルストレーナ。
【請求項６】
前記マグネットは、前記濾材と対向する面と反対側の面に吸音材を備える、請求項１〜５のいずれか１項に記載のオイルストレーナ。
【請求項７】
前記マグネットの、前記濾材と対向する面の面積は、前記オイル収容部の形状またはオイルストレーナのライフタイムに基づき推測される異物の発生する量の少なくともいずれか一方に基づき決定される、請求項１〜６のいずれか１項に記載のオイルストレーナ。
【請求項８】
前記オイル収容部は、少なくとも前記マグネットが配置される入側空間側が、前記マグネットが吸着しない材質から形成される、請求項１〜７のいずれか１項に記載のオイルストレーナ。
【請求項９】
前記オイル収容部内の底面は、地面に対して略平行となるように車両に設置される、請求項１〜８のいずれか１項に記載のオイルストレーナ。
【発明の詳細な説明】
【技術分野】
【０００１】
本発明は、オイルパンから吸い上げられたオイルを濾過して排出するオイルストレーナに関する。
【背景技術】
【０００２】
トランスミッション内部は、バリエータやギヤ等に代表される金属部品にてトルクを伝達する構造となっている。トランスミッション駆動状態においては、これらの金属部品間にて摺動が生じて金属粉が発生する。発生した金属粉等の異物は、オイルの流れによってオイルパン内に蓄積し、鉄系の異物はオイルパン内に固定されたマグネットで収集される。オイルパン内で捕捉できなかった異物は、オイルポンプによるオイルの吸い上げに伴ってオイルストレーナの濾材により捕捉される。このように、オイルポンプにより吸い上げられたオイルをオイルストレーナで濾過することで、オイル内に混入する異物を除去している。
【０００３】
ここで、オイルパンからオイルストレーナへ吸い上げられたオイルに混入する異物を捕捉するための補助部材として、従来、マグネットが用いられている。マグネットによりオイル内の鉄系の異物を吸着して捕捉することができる。
【０００４】
例えば、特許文献１には、オイルパンの底面に向って延出したオイル吸入筒の外周側に筒状マグネットが配置されたオイル貯留装置が開示されている。かかるオイル貯留装置では、オイル吸入筒からオイルパン内のオイルが吸い上げられる際に、筒状マグネットの下端部とオイルパンの底面との隙間を通過するオイルに混入している鉄系異物を筒状マグネットで効率的に吸着捕捉している。
【０００５】
また、特許文献２には、バルブボディとオイルパンとの間に配置され、オイルパンから吸引される作動油を濾過する濾材を有するストレーナを備えた油圧制御装置が開示されている。かかる油圧制御装置のストレーナのオイルパンと対向する面には、磁石が固定されている。この磁石により、オイルパンに流れ込んだ作動油中の異物を磁石の磁力によりオイルパン内で吸着捕捉している。また、磁石の磁力がストレーナの内部にも作用する場合には、ストレーナ内の作動油に含まれる金属粉といった異物も磁石の磁力により吸着捕捉可能となり、オイルパンに流れ込んだ作動油中の異物をストレーナの濾材に達するまでに磁石の磁力により良好に捕捉している。
【先行技術文献】
【特許文献】
【０００６】
【特許文献１】特開２００８−２８０９１０号公報
【特許文献２】特開２０１１−２０８７７９号公報
【発明の概要】
【発明が解決しようとする課題】
【０００７】
ここで、オイルストレーナの濾材は交換されないため、自動車のフルライフを通して正常に機能することが必要である。濾材において異物を捕捉可能な濾過面積は使用とともに減少するため、発生する総コンタミを考慮すると、濾材には多大な濾過面積が要求される。オイルストレーナの濾過面積を小さくするとライフ末期にてオイルストレーナ内部の濾材が捕集された異物によって全面閉塞してしまい、オイルポンプがオイルを吸い上げられず、油圧特性の不良、車両の走行不良に直結する。
【０００８】
一方で、オイルストレーナを大きくすると、発生する異物を捕捉するのに十分な濾過面積を確保することはできるが、オイルストレーナを収めるトランスミッションケースやオイルパンも大きくする必要がある。オイルパンが大きくなると、エア吸いを発生させないだけのオイルを充填する必要があり、トランスミッションの重量や燃費にも跳ね返る。
【０００９】
そこで、本発明は、上記問題に鑑みてなされたものであり、本発明の目的とするところは、小型で、かつ十分な濾過面積を確保することが可能な、新規かつ改良されたオイルストレーナを提供することにある。
【課題を解決するための手段】
【００１０】
上記課題を解決するために、本発明のある観点によれば、オイルの吸入部と流出部とを備えるオイル収容部と、オイル収容部内の空間を吸入部側と流出部側とに区分するように設けられ、オイル収容部内を通過するオイルを濾過する濾材と、オイル収容部内の、濾材より吸入部側の入側空間に設けられ、入側空間を移動可能なマグネットと、を備える、オイルストレーナが提供される。
【００１１】
本発明によれば、オイル収容部の入側空間内を移動するマグネットを設けることで、濾材により捕捉された異物をマグネットの磁力によって吸着し、濾材から取り除くことができる。
【００１２】
オイル収容部の吸入部の周縁部分には、濾材側に向かって突出するリブが設けられ、濾材とリブとの間の距離は、マグネットの厚みより小さくなるように構成される。これにより、マグネットが吸入部から外部に抜けださないようにすることができる。
【００１３】
マグネットは、外形が角丸となるように形成してもよい。これにより、濾材を傷付けないようにすることができる。
【００１４】
また、マグネットは、濾材と対向する面に凹部が形成されてもよい。これにより、濾材との対向する面の表面積が増大するので、効率よく濾材から異物を除去することが可能となる。また、濾材から吸着した異物が凹部に溜まることで、濾材とマグネットとが擦れても吸着した異物がマグネットから落ちないようにすることができる。
【００１５】
あるいは、マグネットは、濾材と対向する面にフランジが形成されてもよい。これにより、濾材との対向する面の表面積が増大するので、効率よく濾材から異物を除去することが可能となる。
【００１６】
マグネットの、濾材と対向する面の面積は、濾材と対向する面と反対側の面に吸音材を備える、請求項１〜５のいずれか１項に記載のオイルストレーナ。これにより、マグネットとオイル収容部との接触音を低減することができる。
【００１７】
マグネットの形状は、オイル収容部の形状またはオイルストレーナのライフタイムに基づき推測される異物の発生する量の少なくともいずれか一方に基づき決定してもよい。
【００１８】
オイル収容部は、少なくともマグネットが配置される入側空間側が、マグネットが吸着しない材質から形成される。
【００１９】
このようなオイルストレーナは、オイル収容部の底面が地面に対して略平行となるように車両に設置される。これにより、車両の挙動に応じて発生する重力によってマグネットを万遍なく入側空間内を移動させることが可能となる。
【発明の効果】
【００２０】
以上説明したように本発明によれば、小型で、かつ十分な濾過面積を確保することが可能なオイルストレーナを提供することができる。
【図面の簡単な説明】
【００２１】
【図１】本発明の実施形態に係るオイルストレーナによる異物除去のメカニズムを示す説明図である。
【図２】同実施形態に係るオイルストレーナの構成を示す分解斜視図である。
【図３】同実施形態に係るオイルストレーナの部分断面図である。
【図４】オイルストレーナ内におけるマグネットの可動範囲を示す概略斜視図である。
【図５】オイルストレーナの高さ方向におけるフィルタ、マグネットおよびオイル吸入部の関係を説明するための説明図である。
【図６】フランジを有するマグネットの一構成例を示す平面図および側面図である。
【図７】凹部を有するマグネットの一構成例を示す平面図およびＡ−Ａ切断線における断面図である。
【図８】吸音材を備えるマグネットの一構成例を示す側面図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜１．異物除去のメカニズム＞
まず、図１を参照して、本発明の一実施形態に係るオイルストレーナによる異物除去のメカニズムを説明する。図１は、本実施形態に係るオイルストレーナによる異物除去のメカニズムを示す説明図である。
【００２４】
本実施形態に係るオイルストレーナは、オイルストレーナ内に配置された濾材とオイルが吸入する側の面から対向するように設けられた、当該オイルストレーナ内を移動可能なマグネットを備える。このマグネットは、濾材が捕捉した異物を濾材から取り除くことを主たる機能とする。
【００２５】
図１に示すように、トランスミッションが駆動すると、トランスミッションを構成する金属部品間での摺動が生じて金属粉等の異物が発生する。発生した異物はオイルの流れによってオイルパン内に蓄積され、このうち鉄系の異物はオイルパン内に固定されたオイルパンマグネットにより捕捉される。オイルパン内で捕捉できなかった異物は、オイルポンプによるオイルの吸い上げによってオイルとともにオイルパンからオイルストレーナへ移動する。オイルストレーナに吸入されたオイルに混入する異物は、オイルストレーナ内の濾材により捕捉される。
【００２６】
ここで、上述したように、オイルストレーナ内の濾材により捕捉可能な異物量は、残存する濾過面積により決まる。従来、濾材が捕捉した異物を濾材から取り除くことはされないため、濾過面積は使用とともに減少する一方であった。ここで、オイルに混入する異物のうち、鉄系の異物の割合は大きい。そこで、本実施形態に係るオイルストレーナでは、鉄が磁石に引き寄せられる強磁性体であることに着目し、オイルストレーナ内を移動するマグネットを設け、濾材が捕捉した鉄系の異物をマグネットにより吸着して濾材から取り除く。これにより、異物を捕捉していた領域の濾材を再度機能させることが可能となる。
【００２７】
例えば、オイルに混入する全異物のうち、鉄系の異物が７０％強である場合に、濾材に捕捉された鉄系の異物を取り除くと、濾材の濾過面積の約７０％を再度機能させることが可能となる。すなわち、オイルストレーナの濾過面積を約７０％縮小可能ということになる。
【００２８】
このように、本実施形態に係るオイルストレーナは、オイルの中を浮遊する異物を濾材により捕捉するとともに、濾材により捕捉された異物をマグネットにより吸着して濾材から取り除く。これにより、濾材は、自動車のフルライフを想定した場合の濾過面積から、マグネットにより異物を取り除き浄化できる面積を差し引いた分の濾過面積を有しておけばよく、従来のオイルストレーナと比べて小型化が可能となる。なお、このマグネットは、濾材により捕捉された異物を取り除く以外にも、オイル中を浮遊する異物を吸着して捕捉することもできる。以下、本実施形態に係るオイルストレーナの構成を詳細に説明する。
【００２９】
＜２．オイルストレーナの構成＞
［２−１．全体構成］
まず、図２〜図５に基づいて、本実施形態に係るオイルストレーナ１００の全体構成を説明する。図２は、本実施形態に係るオイルストレーナ１００の構成を示す分解斜視図である。図３は、本実施形態に係るオイルストレーナ１００の部分断面図である。図４は、オイルストレーナ１００内におけるマグネット１４０の可動範囲を示す概略斜視図である。図５は、オイルストレーナ１００の高さ方向におけるフィルタ１３０、マグネット１４０およびオイル吸入部１２２の関係を説明するための説明図である。
【００３０】
本実施形態に係るオイルストレーナ１００は、図２に示すように、上部ボディ１１０と、下部ボディ１２０と、フィルタ１３０とマグネット１４０とから構成される。上部ボディ１１０および下部ボディ１２０は、オイル吸入部１２２から吸入されたオイルを収容するオイル収容部を構成する。フィルタ１３０およびマグネット１４０は、オイル収容部内に設けられる。
【００３１】
（オイル収容部）
オイル収容部は、オイルポンプ（図示せず。）により吸い上げられたオイルが吸入されるオイル吸入部１２２側の下部ボディ１２０と、オイル収容部内からオイルを流出するオイル流出部１１２側の上部ボディ１１０とから構成される。上部ボディ１１０および下部ボディ１２０は、それぞれ対向する面側から互いに離隔させる向きに突出した形状となっており、周縁部を接合することでオイルを収容する空間を形成する。なお、上部ボディ１１０および下部ボディ１２０により構成されるオイル収容部の形状は、搭載される車種によって適宜決定されるものであり、特定の形状に限定されるものではない。
【００３２】
下部ボディ１２０のオイル吸入部１２２と、上部ボディ１１０のオイル流出部１１２とは、なるべく離隔した位置に設けられる。通常、オイルストレーナ１００は、オイル流出部１１２を車両前方にして、車両停止時に底面（すなわち、下部ボディ１２０の底面１２１）が地面と略平行となるように車両に設置される。また、オイル吸入部１２２の周縁部には、オイル収容部の内部空間側に向かって突出するリブ１２４が形成される。リブ１２４は、オイルストレーナ１００内のマグネット１４０が、オイル吸入部１２２から外部に抜け出さないようにするために形成される。
【００３３】
また、下部ボディ１２０は、マグネット１４０が吸着しないように、例えば樹脂等のマグネット１４０が吸着しない材質により形成される。なお、上部ボディ１１０の材質は特に限定されないが、下部ボディ１２０と同様に樹脂等から生成してもよい。
【００３４】
（フィルタ）
フィルタ１３０は、オイルストレーナ１００に吸入されたオイルに混入する異物を捕捉する濾材である。フィルタ１３０は、図２に示すように、フレーム１３２と、梁部１３４と、フィルタ部１３８とからなる。
【００３５】
フレーム１３２は、図３に示すように、上部ボディ１１０および下部ボディ１２０により形成される空間の内面に接するように形成された枠であって、フレーム１３２の内部にはその形状を維持するための梁部１３４が複数設けられている。なお、梁部１３４には、フィルタ１３０と上部ボディ１１０との間の出側空間ＶＵを保持するための支持部材（図示せず。）が複数設けられてもよい。また、支持部材は、上部ボディ１１０の内側に設けられていてもよい。
【００３６】
また、フレーム１３２の内部には、オイルに混入する異物を捕捉するためのフィルタ部１３８が設けられる。フィルタ部１３８は、例えばステンレス製のメッシュや不織布等を用いることができる。フィルタ部１３８には、オイルは通過させることができるが異物を通過させない大きさの孔が複数存在する。フィルタ部１３８の孔の大きさは、捕捉する異物の粒径に応じて決定される。フィルタ部１３８は、フレーム１３２の内部の全面を覆うように設けられる。
【００３７】
本実施形態に係るフィルタ１３０は、図１および図２に示すように上部ボディ１１０と下部ボディ１２０との間に設けられ、オイル収容部の内部空間を、下部ボディ１２０側の入側空間ＶＬと上部ボディ１１０側の出側空間ＶＵとに区分する。これにより、オイル吸入部１２２から吸入されたオイルは、入側空間ＶＬからフィルタ１３０を介して出側空間ＶＵへと移動し、上部ボディ１１０のオイル流出部１１２から流出する。
【００３８】
（マグネット）
マグネット１４０は、オイル収容部内のフィルタ１３０と下部ボディ１２０との間の入側空間ＶＬに設けられ、フィルタ１３０が捕捉した異物を吸着してフィルタ１３０を浄化する部材として機能する。マグネット１４０は、図２〜図４に示すように、下部ボディ１２０の底面１２１上に載置され、底面１２１上を車両の加速や減速、左右旋回時の重力を受けて入側空間ＶＬ内を遊動する。すなわち、マグネット１４０は下部ボディ１２０に固定されておらず、入側空間ＶＬ内を自由に移動できる。
【００３９】
マグネット１４０は、略平板状に形成されており、２つの平面部分がそれぞれフィルタ１３０と下部ボディ１２０の底面１２１とに対向するように設けられる。本実施形態に係るマグネット１４０は、図２に示すように、円板の中心部が貫通した環状に形成されている。マグネット１４０の外形は、フィルタ１３０や下部ボディ１２０を傷付けないように、鋭角がなく、角の丸い形状とするのがよい。
【００４０】
ここで、マグネット１４０のフィルタ１３０側の面を上面１４２とし、上面１４２と反対側の面を下面１４４とする。図５に示すように、マグネット１４０の上面１４２はフィルタ１３０に近接しており、これらは距離ｄ１だけ離隔されている。距離ｄ１は、例えば数ｍｍ程度としてもよい。マグネット１４０の上面１４２とフィルタ１３０とを近接させることで、マグネット１４０によりフィルタ１３０に捕捉された異物を効果的に取り除くことができる。なお、オイルストレーナ１００内にはオイルが存在するため、マグネット１４０は、実際にはオイルで満たされた空間内を遊動している状態となる。したがって、マグネット１４０は、車両の挙動によって入側空間ＶＬを高さ方向に僅かに上下方向（すなわち、高さ方向）に動きつつ、平面方向に大きく動く。
【００４１】
車両の挙動によってマグネット１４０が入側空間ＶＬ内で動くと、フィルタ部１３８に捕捉されている異物のうち鉄系の異物は、マグネット１４０がこの異物の近傍を通過する際に、マグネット１４０の磁力によってマグネット１４０の上面１４２に吸着される。これにより、フィルタ部１３８から異物が取り除かれ、フィルタ１３０が浄化される。
【００４２】
このようなマグネット１４０の機能を考慮すると、フィルタ１３０と対向する上面１４２の表面積を大きくすると効率よくフィルタ１３０から異物を取り除くことができる。一方で、フィルタ１３０はオイル収容部の内部空間を区分するように平面的に配置されているため、マグネット１４０はフィルタ１３０の面の隅々まで移動できるのが望ましい。ここで、下部ボディ１２０の形状は車種等に応じて決定されるものであるため、ある決まった形状を有しているものではない。例えば図４に示すように、オイル吸入部１２２付近は可動範囲が広いが、オイル流出部１１２付近は可動範囲が狭くなっている形状もある。このような場合にもマグネット１４０のサイズを一様に大きくすると、可動範囲の狭い部分にマグネット１４０が入り込むことができないこともある。
【００４３】
これより、マグネット１４０の大きさは、下部ボディ１２０の形状やフィルタ１３０から取り除きたい異物量等を考慮して決定される。例えば、マグネット１４０は、平面外周において任意の２点を結んだ長さが、下部ボディ１２０の底面１２１の外周における任意の２点を結んだときの最小長さよりも短い部分を有するように形成してもよい。あるいは、マグネット１４０は、自動車のライフタイムを通して捕捉される鉄系の異物量を推定した結果に基づき、これらの異物を吸着可能な表面積を有するように形成してもよい。異物の推定量は、例えば過去の実績データに基づき取得することができる。
【００４４】
また、図５に示すように、マグネット１４０は、オイル吸入部１２２から抜け出さないように、その厚みＤがフィルタ１３０とオイル吸入部１２２の周縁部に設けられたリブ１２４との距離ｄ２よりも大きくなるように形成される。これにより、マグネット１４０を確実にオイル収容部の入側空間ＶＬに位置させることができる。
【００４５】
マグネット１４０の磁力の大きさは、フィルタ１３０とマグネット１４０との距離や異物の吸着能力に応じて適宜決定することができる。例えば、マグネット１４０の磁力の大きさは、オイルパンに設けられるオイルパンマグネット（いずれも図示せず。）と同程度としてもよい。なお、マグネット１４０は、フィルタ１３０から異物を除去する部材として主として機能するが、オイルパンマグネットのようにオイル中を浮遊する異物を吸着して捕捉することも可能である。
【００４６】
以上、本実施形態に係るオイルストレーナ１００の構成について説明した。このように、本実施形態にかかるオイルストレーナ１００は、フィルタ１３０により捕捉された鉄系の異物をマグネット１４０に吸着させ、フィルタ１３０から除去する浄化機能を有している。このようなマグネット１４０を設けることで、フィルタ１３０により異物を捕捉する一方で、フィルタ１３０から捕捉された異物が取り除かれるので、異物を捕捉可能な濾過面積を急激に低減させることなく保持できるようになり、フィルタ１３０の面積を小さくすることができる。結果として、オイルストレーナ１００を小型化することができる。
【００４７】
［２−２．マグネットの変形例］
本実施形態に係るマグネットは、図２に示したような環状以外の形状であってもよく、例えば図６〜図８のような形状としてもよい。
【００４８】
（変形例１：フランジを有する形状）
図６に示すマグネット２４０はフランジを有するものである。マグネット２４０は、基台部２４１と、フランジ部２４３とからなる。フランジ部２４３の表面２４２がフィルタ１３０と対向するように、オイルストレーナ１００の入側空間ＶＬに配置される。マグネット２４０は、少なくともフランジ部２４３が磁石であればよく、基台部２４１の材質は特に限定されない。マグネット２４０の厚みＤは、フィルタ１３０とリブ１２４との距離ｄ２よりも大きくなるように形成される。これにより、マグネット１４０を確実にオイル収容部の入側空間ＶＬに位置させることができる。
【００４９】
マグネット２４０のようにフランジ部２４０を設けることで、フィルタ１３０との対向面積を増大させることができるので、効率よくフィルタ１３０から鉄系の異物を吸着して取り除くことが可能となる。また、基台部２４１の厚みＤ１をリブ１２４の高さより大きくし、マグネット２４０全体の厚みＤを下部ボディ１２０の底面１２１とフィルタ１３０との距離より小さくすることで、マグネット２４０をオイル吸入部１２２から抜け出さないようにできるとともに、リブ１２４とフィルタ１３０との間をフランジ部２４３が通過できるようになる。
【００５０】
これにより、例えば、基台部２４１がリブ１２４に当接したときに、フランジ部２４３がリブ１２４とフィルタ１３０との間を通過し、オイル吸入部１２２の位置にあるフィルタ部１３８により捕捉された鉄系の異物を吸着して取り除くことが可能となる。
【００５１】
なお、基台部２４１およびフランジ部２４３の形状は、図６に示したような円板状に限定されず、下部ボディ１２０の形状やフィルタ１３０から取り除きたい異物量等を考慮して決定される。また、基台部２４１およびフランジ部２４３の平面形状は異なる形状であってもよい。
【００５２】
（変形例２：凹部を有する形状）
図７に示すマグネット３４０は、円板状の磁石であって、フィルタ１３０と対向する側の面（以下、「上面」とする。）３４２に、凹部３４４が形成されている。図７に示すマグネット３４０には半球状の複数の凹部３４４が形成されているが、本発明はかかる例に限定されず、１または複数の凹部を形成してもよく、その形状、深さ等は特に限定されるものではない。
【００５３】
マグネット３４０の上面３４２に凹部３４４を形成することで、上面３４２の表面積を増大させることができるので、効率よくフィルタ１３０から鉄系の異物を吸着して取り除くことが可能となる。また、凹部３４４にフィルタ１３０から取り除いた異物が蓄積されることで、マグネット３４０の上面３４２がフィルタ１３０と接触して擦れても、吸着した異物を落とさず保持し続けることが可能となる。図２に示した環状のマグネット１４０の中央の貫通部１４６も、この凹部３４４と同様に機能する。
【００５４】
変形例１、２の形状とすることで、フィルタ１３０との対向面の表面積を増大させることができるが、これら以外にも、例えばマグネットのフィルタ１３０との対向面を波状としたり、凸部を設けたりすることで、対向面の表面積を増大させることができる。
【００５５】
（変形例３：吸音材を備える構成）
図８に示すマグネット４４０は、磁石からなる本体部４４１の下面（すなわち、下部ボディ１２０側の面）４４４に吸音材４４３が設けられて構成されている。吸音材４４３は、車両の挙動に応じてマグネット４４０が入側空間ＶＬを遊動する際に、下部ボディ１２０との接触音が発生するのを抑制する。
【００５６】
図２、図６〜図８に示したマグネットの構成は、適宜組み合わせることができる。例えば、図２に示す環状のマグネット１４０の下面１４４に吸音材を設けてもよく、図６に示すマグネット２４０のフランジ部２４３の表面に凹部等を形成してもよい。また、マグネットは、上述した以外にも、楕円の平面形状を有する板状部材や略球状の部材等であってもよい。
【００５７】
＜３．まとめ＞
以上、本実施形態に係るオイルストレーナ１００の構成について説明した。オイルストレーナ１００は、オイルポンプにより吸入されたオイルに混入する異物をフィルタ１３０によって捕捉する。また、本実施形態に係るオイルストレーナ１００の入側空間にはマグネット１４０が設けられており、車両が加速や減速、左右旋回するとマグネット１４０が車両の挙動により発生する重力を受けて入側空間内を遊動する。このとき、フィルタ１３０により捕捉された鉄系の異物がマグネット１４０に吸着され、フィルタ１３０から除去される。これにより、フィルタ１３０を浄化することができる。
【００５８】
通常、フィルタ１３０の濾過面積のうち、異物を捕捉した部分は、以後濾材としては機能しない。しかし、本実施形態に係るオイルストレーナ１００によればフィルタ１３０から捕捉された異物を取り除くことができ、再度濾材として機能させることが可能となる。したがって、再度濾材として機能させることができる濾過面積の分、フィルタ１３０を小さくすることが可能となる。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６０】
例えば、上記実施形態では、オイル収容部は、上部ボディ１１０と下部ボディ１２０とを接合して形成したが、本発明はかかる例に限定されない。例えば、オイル収容部は一体形成してもよい。
【００６１】
また、上記実施形態では、オイルストレーナ１００のマグネット１４０は１つのみ設けたが、本発明はかかる例に限定されない。オイルストレーナ１００の入側空間ＶＬ内に複数のマグネットを設けてもよい。
【００６２】
さらに、上記実施形態では、トランスミッション用のオイルストレーナ１００の構成について説明したが、本発明はかかる例に限定されない。上記オイルストレーナ１００の構成は、例えばエンジン用オイルストレーナや燃料フィルタ等、車両の稼働状態で前後左右の重力を受ける部分に用いられるストレーナ全般について適用可能である。
【符号の説明】
【００６３】
１００    オイルストレーナ
１１０    上部ボディ
１１２    オイル流出部
１２０    下部ボディ
１２２    オイル吸入部
１２４    リブ
１３０    フィルタ
１３２    フレーム
１３４    梁部
１３８    フィルタ部
１４０、２４０、３４０、４４０    マグネット
１４２    上面
１４４    下面
２４１    基台部
２４３    フランジ部
３４４    凹部
４４３    吸音材
【図１】
2015190578.tif 000003
【図２】
2015190578.tif 000004
【図３】
2015190578.tif 000005
【図４】
2015190578.tif 000006
【図５】
2015190578.tif 000007
【図６】
2015190578.tif 000008
【図７】
2015190578.tif 000009
【図８】
2015190578.tif 000010